(57)【要約】【課題】証紙部品の交換が可能で、かつ、不正に証紙部品を交換した場合にはその発見が可能な遊技機を提供する。【解決手段】証紙部品４００の証紙プレート本体４２０が取付部４３０で遊技盤３０に固定されて、証紙プレート本体４２０に証紙プレート蓋４１０が内部係止部４８０によって係止されると、取付部４３０に外部から固定解除アクセスができないので、証紙プレート本体４２０を取り外すことができないし、証紙プレート本体４２０の被切断部４５０を破壊しない限り、証紙プレート蓋４１０を係止容器部４４０から取り外せないことから、証紙部品４００と遊技盤３０との一体不可分性を確保でき、証紙部品４００が不正に交換されることを低減できる。また、証紙部品４００の被切断部４５０の破壊痕跡や取付部４３０の不存在を見ることで、正当作業者でない者によって破壊されたことの推測ができる。【選択図】図６
2010268954.tif 000002
【特許請求の範囲】
【請求項１】
遊技者に遊技を提供する遊技機において、
遊技製品に関する証明情報を表示した証明情報表示部品と、
前記証明情報表示部品が取り付けられる遊技部品と、
を備え、
前記証明情報表示部品は、
前記証明情報を表示する表記部品と、
前記表記部品が取り付けられて、且つ、前記遊技部品に取り付けられる本体部品と、
前記表記部品と前記本体部品とをそれらで形成される内部空間側で係止するものであって前記表記部品を前記本体部品から取り外し不可に係止する内部係止手段と
を備え、
前記本体部品は、
前記遊技部品に取り外し不可に固定される固定部と、
前記固定部以外の部分であって前記内部係止手段を含む係止体部と、
前記固定部と前記係止体部とを繋ぐ部分であって破壊されることによって当該固定部と係止体部とを分離可能とする被破壊部と、
前記被破壊部を除いて前記固定部と前記係止体部との境界部分に形成された切り欠き部とを備えている
ことを特徴とする遊技機。
【発明の詳細な説明】
【技術分野】
【０００１】
この発明は、パチンコ機、スロットマシン等の遊技機に関する。
【背景技術】
【０００２】
従来、遊技機の代表例として例えばパチンコ機がある。このパチンコ機は、例えば、当該パチンコ機の外殻を形成し遊技場（ホール）の遊技島に固定される外枠と、この外枠の正面視での左端側を開閉軸として外枠に対して開閉可能に支持される内枠と、この内枠の略中央に形成された開口に、遊技球の流下する遊技領域が位置するように取り付けられる遊技盤と、この内枠の正面視での左端側を開閉軸として内枠に対して開閉可能に支持され、遊技領域を視認するための視認窓を有する前面扉とを備えている。
【０００３】
また、パチンコ機は、例えば所定の検定機関の検定を受けて、この検定に合格したものに限りホール（遊技場）への設置が認められている。この検定を受けた証としての証紙がパチンコ機の例えば遊技盤の所定箇所（前面右下角部箇所）に直接に貼り付けられている。この証紙には、唯一無二の検定番号（例えば、遊技機の製造業者記号と一連の連続番号とからなる証紙の製造番号）が記載されており、パチンコ機の完成品状態においても、正面視で前面扉の透明窓部を介して見える箇所に位置している。遊技機の納品先ホールと当該遊技機の証紙の製造番号とが対応して管理されているので、この証紙の製造番号によって、遊技盤がどのホールに納品されたのかが管理できる。また、遊技盤の転売に際しても同様に対応して管理されているので、転売後もどのホールにあるのか等の管理ができる。
【０００４】
なお、この証紙は、一旦貼り付けられた後に剥がそうとすると、その少なくとも一部が破損するような壊れやすいものであり、貼り付け後にきれいに剥がされて不正に再使用されないものである。
【０００５】
しかし、証紙貼り付け済みの遊技盤の製造メーカー出荷前試験において故障品・不良品であることが発見された場合や、ホール設置作業で誤って当てたり落下させたりして破損させた場合等には、新たな製造番号の証紙が貼り付けられた遊技盤と交換することになる。
【０００６】
ホール側としては、遊技島に設置された複数台の遊技機についての証紙が一連の製造番号順である方が管理上都合がいいのであるが、上記交換が生じると不連続な製造番号の証紙が貼り付けられた遊技盤が混在することになる。
【０００７】
そこで、証紙を遊技盤に直接に貼り付けるのではなく、証紙が貼り付けられた証紙台を、遊技盤の前面側端部箇所に設けられたレール飾りに当該レール飾りの裏面側からネジ止め等して固定することで、証紙の交換が可能としたパチンコ機がある。このパチンコ機の場合には、上記の故障等が生じても新たな遊技盤に元の証紙を証紙台ごと取り付けることができ、証紙を一連の製造番号順とすることができる（例えば、特許文献１参照）。
【先行技術文献】
【特許文献】
【０００８】
【特許文献１】特開２００３−６２３０９号公報（第２−４頁，第３図）
【発明の概要】
【発明が解決しようとする課題】
【０００９】
しかしながら、このような構成を有する従来例の場合には、次のような問題がある。
すなわち、上述のパチンコ機では、例えば、証紙が証紙台ごと他の遊技盤に交換できることから、遊技機のホール設置の際に証紙を一連の製造番号順とすることができるものの、ホール設置後に、証紙が証紙台ごと他の遊技機に不正に交換されたとしても、その不正交換を発見できないという問題がある。
【００１０】
例えば、検定を受けていない遊技盤に、正規の証紙付きの証紙台が取り付けられてホールで不正営業されていたり、証紙が証紙台ごと勝手に付け替えられたりしていてもわからないという重大な問題が生じ得る。
【００１１】
本発明は、このような事情に鑑みてなされたものであって、証紙の交換が可能で、かつ、不正に証紙交換した場合にはその発見が可能な遊技機を提供することを目的とする。
【課題を解決するための手段】
【００１２】
この発明は、このような目的を達成するために、次のような構成をとる。
すなわち、請求項１に記載の発明は、
遊技者に遊技を提供する遊技機において、
遊技製品に関する証明情報を表示した証明情報表示部品と、
前記証明情報表示部品が取り付けられる遊技部品と、
を備え、
前記証明情報表示部品は、
前記証明情報を表示する表記部品と、
前記表記部品が取り付けられて、且つ、前記遊技部品に取り付けられる本体部品と、
前記表記部品と前記本体部品とをそれらで形成される内部空間側で係止するものであって前記表記部品を前記本体部品から取り外し不可に係止する内部係止手段と
を備え、
前記本体部品は、
前記遊技部品に取り外し不可に固定される固定部と、
前記固定部以外の部分であって前記内部係止手段を含む係止体部と、
前記固定部と前記係止体部とを繋ぐ部分であって破壊されることによって当該固定部と係止体部とを分離可能とする被破壊部と、
前記被破壊部を除いて前記固定部と前記係止体部との境界部分に形成された切り欠き部とを備えている
ことを特徴とするものである。
【００１３】
［作用・効果］請求項１に記載の発明によれば、遊技者に遊技を提供する遊技機は、遊技製品に関する証明情報を表示した証明情報表示部品と、この証明情報表示部品が取り付けられる遊技部品とを備えている。証明情報表示部品は、証明情報を表示する表記部品と、この表記部品が取り付けられて、且つ、遊技部品に取り付けられる本体部品とを備えている。内部係止手段は、表記部品と本体部品とで形成される内部空間側で当該表記部品と本体部品とを係止するものであって、表記部品を本体部品から取り外し不可に係止する。本体部品は、固定部と係止体部とに大別される。本体部品の固定部は、遊技部品に取り外し不可に固定されるものである。本体部品の係止体部は、固定部以外の部分であって、内部係止手段を含むものである。固定部と係止体部とを繋ぐ部分である被破壊部は、破壊されることによって固定部と係止体部とを分離可能とする。切り欠き部は、被破壊部を除いて固定部と係止体部との境界部分に形成されている。
【００１４】
したがって、証明情報表示部品の本体部品がその固定部で遊技部品に固定されて、この本体部品に表記部品が内部係止手段によって係止されると、固定部に対して外部から固定解除アクセスができないので、固定部ごと本体部品を遊技部品から取り外すことができないし、証明情報表示部品の本体部品の被破壊部を破壊しない限り、本体部品の固定部と係止体部とが分離できず、この分離された係止体部に対して内部係止手段による係止を解除しなければ、表記部品を係止体部から取り外せないことから、証明情報表示部品と遊技部品との一体不可分性を確保でき、証明情報表示部品が不正に交換されることを低減できる。
【００１５】
また、検定合格後で製造メーカー出荷前試験において遊技部品（証明情報表示部品の取り付け済み）に故障や不良があった場合や、ホール設置作業で遊技部品を落下破損させた場合等には、証明情報表示部品の本体部品の被破壊部を破壊することで、本体部品の固定部と係止体部とが分離され、固定部が遊技部品に固定されたまま残り、本体部品の係止体部を遊技部品から取り外すことができ、この分離された係止体部に対して内部係止手段による係止を解除して、表記部品を係止体部から取り外し、この取り外した表記部品を、例えば検定を受けた新たな遊技部品に取り付けた製造メーカー側が所有する新品の本体部品に対して取り付け係止させて当該新たな遊技部品を出荷することができ、遊技機のホール設置の際に、複数の遊技機の証明情報表示部品を一連の番号順とすることができる。
【００１６】
また、ホール設置後に、ある遊技機の証明情報表示部品の被破壊部が不正に破壊されて、証明情報表示部品が遊技部品から不正に取り外されて他の遊技機に使用しようとしても、固定部が切り取られているため他の遊技機の遊技部品に取り付けることができないし、仮に他の遊技機に不正接着などしても、当該他の遊技機での被破壊部の破壊痕跡を見ることで、正当作業者（例えば、製造メーカー作業者）でない者によって破壊されたことの推測ができる。
【００１７】
例えば、検定を受けていない遊技部品に、正規の証明情報表示部品が取り付けられてホールで不正営業されていたり、証明情報表示部品を勝手に付け替えられたりしている場合には、被破壊部が破壊された本体部品を再使用していたり、本体部品の固定部が切除されたて当該固定部が存在しないため、ホール関係者や製造メーカー作業者は、被破壊部の破壊痕跡や固定部の不存在を目ることで、何らかの不正行為があったと推測でき、不正行為を低減できる。
【００１８】
なお、本明細書中で言う「証明情報」としては、所定の検定機関や検定団体が発行する検定番号や承認番号、製造メーカーが付す製造番号などが挙げられる。また、本明細書中で言う「遊技部品」は、遊技機に用いられる各種の部品を意味する。この「遊技部品」として例示すれば、遊技盤、内枠、前面枠、入賞装置、センターフレームなどが挙げられる。また、本明細書中で言う「取り外し不可に固定される固定部」とは、本体部品の少なくとも一部（例えば、被破壊部）を破壊しなければ、本体部品を取り外しできないことを意味する。
【００１９】
また、本明細書中で言う「切り欠き部」とは、本体部品における固定部と係止体部との境界部分を実際に切り取って形成したものであってもよいが、本体部品の形成と同時に当該本体部品の境界部分にへこみ部ができるという意味である。例えば、金型は予め切り欠き部を形成するための形状を有しており、この金型に樹脂を充填して、金型を取り外すと本体部品の完成と同時に切り欠き部（へこみ部）も形成されていることを意味する。
【発明の効果】
【００２０】
この発明に係る遊技機によれば、証明情報表示部品（例えば、証紙）の交換が可能で、かつ、不正に証明情報表示部品を交換した場合にはその発見が可能な遊技機を提供することができる。
【図面の簡単な説明】
【００２１】
【図１】本発明の実施例１のパチンコ機の正面図である。
【図２】前面枠セットと内枠とを開放した状態の実施例１のパチンコ機の斜視図である。
【図３】前面枠セットを取り外した状態の実施例１のパチンコ機の正面図である。
【図４】実施例１の遊技盤の正面図である。
【図５】実施例１の遊技盤の斜視図である。
【図６】証紙部品の前方右上視の分解斜視図である。
【図７】証紙部品の前方左上視の分解斜視図である。
【図８】証紙部品の後方右上視の分解斜視図である。
【図９】証紙部品の後方左上視の分解斜視図である。
【図１０】遊技盤の証紙部品の取付箇所の縦断面図である。
【図１１】（ａ），（ｂ）は、証紙部品の遊技盤への取り付け手順を示す証紙部品などの縦断面図である。
【図１２】（ａ）〜（ｃ）は、証紙部品の遊技盤からの取り外し手順を示す証紙部品及び遊技盤の一部破断前方右上視斜視図である。
【図１３】（ａ）〜（ｃ）は、証紙部品の遊技盤からの取り外し手順を示す証紙部品及び遊技盤の一部破断前方左下視斜視図である。
【図１４】（ａ）〜（ｃ）は、証紙部品の遊技盤からの取り外し手順を示す証紙部品などの縦断面図である。
【発明を実施するための形態】
【００２２】
以下、パチンコ遊技機（以下、単に「パチンコ機」という）の各種の実施の形態を、図面に基づいて詳細に説明する。
【実施例１】
【００２３】
実施例１のパチンコ機を、図面に基づいて詳細に説明する。図１はパチンコ機１０の正面図である。図２は、前面枠セット１４と内枠１２とを開放した状態の実施例１のパチンコ機１０の斜視図である。図３は、前面枠セット１４を取り外した状態の実施例１のパチンコ機１０の正面図である。図４は、実施例１の遊技盤３０の正面図である。図５は、実施例１の遊技盤３０の斜視図である。
【００２４】
図１〜図３に示すように、パチンコ機１０は、当該パチンコ機１０の外殻を形成し遊技場（ホール）の遊技島に固定される外枠１１と、この外枠１１の一側部（例えば正面視での左側部）を開閉軸Ｊ１として外枠１１に対して開閉可能に支持された内枠１２（図２，図３参照）と、この内枠１２の一側部（例えば正面視での左側部）を開閉軸Ｊ２として内枠１２に対して開閉自在に取り付けられる前面枠セット１４とを備えている。
【００２５】
外枠１１は、木製の板材により全体として正面視で矩形状に構成され、小ネジ等の離脱可能な締結具により各板材が組み付けられている。本実施の形態では、例えば、外枠１１の上下方向の外寸は８０９ｍｍ（内寸７７１ｍｍ）、左右方向の外寸は５１８ｍｍ（内寸４８０ｍｍ）としている。なお、外枠１１は樹脂やアルミニウム等の軽金属などにより構成されていてもよい。
【００２６】
内枠１２は、図２，図３に示すように、大別すると、その外形を形成する主要部材としての樹脂ベース１２ａと、この樹脂ベース１２ａに背後から取り付けられる遊技盤３０（図４参照）とを備えている。また、内枠１２は、図２に示すように、樹脂ベース１２ａの前面側で片開き自在な前面枠セット１４を備えている。
【００２７】
具体的には、樹脂ベース１２ａは、正面視で、その外形が略矩形状で、かつ、その略中央箇所を開口中心とする開口部（後述する遊技領域３０ａ（図４参照）と同等の大きさの開口）が形成された板状部材としている。
【００２８】
前面枠セット１４は、正面視左側で上下方向の開閉軸Ｊ２を軸心にして当該内枠１２に対して開閉自在に取り付けられている。言い換えれば、前面枠セット１４は、樹脂ベース１２ａに対して開閉自在である。
【００２９】
遊技盤３０（図４参照）は、例えば合板の前面側に釘や各種の入賞部品などが配設されたものであり、その遊技領域３０ａを樹脂ベース１２ａの開口部に位置させるようにして当該樹脂ベースの裏面側に着脱自在に取り付けられる。
【００３０】
ここで、もう少し詳細に前面枠セット１４について説明する。
【００３１】
前面枠セット１４は、図２に示すように、内枠１２に対して開閉可能に取り付けられているため、内枠１２と同様、パチンコ機１０の正面からみて左側に上下に延びる開閉軸Ｊ２を軸心にして前方側に開放できる。
【００３２】
前面枠セット１４は、図１に示すように、その前面視すると、最下部に位置する下皿ユニット１３と、この下皿ユニット１３の上側に位置する上皿ユニット２１と、この上皿ユニット２１の上側に位置するガラス枠部２３と、に大別される。これらの下皿ユニット１３と上皿ユニット２１とガラス枠部２３とは、図示省略のベース板体の前面側各箇所にそれぞれ取り付けられて前面枠セット１４が構成されている。
【００３３】
下皿ユニット１３は、図１に示すように、前面枠セット１４の最下部箇所に位置するように、ネジ等の締結具によりベース板体（図示省略）の正面視で最下部箇所に固定されている。この下皿ユニット１３は、その前面側に、下皿１５と球抜きレバー１７と遊技球発射ハンドル１８とを備えている。
【００３４】
球受皿としての下皿１５は、下皿ユニット１３のほぼ中央部に設けられており、排出口１６より排出された遊技球が下皿１５内に貯留可能な窪み空間を備えている。球抜きレバー１７は、下皿１５内の遊技球を抜く（排出する）ためのものであり、この球抜きレバー１７を図１で左側に移動させることにより、下皿１５の底面の所定箇所が開口され、下皿１５内に貯留された遊技球を下皿１５の底面の開口部分を通して下方向外部に抜くことができる。
【００３５】
遊技球発射ハンドル１８は、下皿ユニット１３において下皿１５よりも右方で手前側に突出して配設されている。遊技者による遊技球発射ハンドル１８の操作に応じて、遊技球発射装置３８によって遊技球が後述する遊技盤３０の方へ打ち込まれる。遊技球発射装置３８は、例えば、遊技球発射ハンドル１８と発射装置２２９（図２参照）などで構成されている。音出力部２４は、前面枠セット１４の正面視で上部の左右２箇所で、その前面枠セット１４の内部あるいは背面箇所に設けられたスピーカからの音を出力するための出力口である。
【００３６】
上皿ユニット２１は、図１に示すように、前面枠セット１４の下部箇所（前述の下皿１５の上方位置）に位置するように、ネジ等の締結具によりベース板体（図示省略）の正面視で下部箇所に固定されており、遊技球の受皿としての上皿１９を備えている。ここで、上皿１９は、遊技球を一旦貯留し、一列に整列させながら遊技球発射装置３８の方へ導出するための球受皿である。
【００３７】
ガラス枠部２３は、図１に示すように、上皿ユニット２１の上側に形成された窓部１０１と、この窓部１０１の周囲に設けられた各種の電飾部とを備えている。
【００３８】
つまり、前面枠セット１４には、図１に示すように、上皿ユニット２１の上側に位置するガラス枠部２３の中央箇所に、遊技盤３０の遊技領域３０ａ（図４参照）のほとんどを外部から視認することができるよう略縦長楕円形状の窓部１０１が形成されている。詳しくは、窓部１０１は、略縦長楕円形状で中央が空洞としており、その空洞部分を略縦長楕円形状等のガラス板１３７で覆うように、図示省略のガラスユニットが前面枠セット１４の裏面側に取り付けられたものである。図示省略のガラスユニットは、二枚のガラス板１３７を前後方向に近設させて並べた二重ガラス構造としている。なお、窓部１０１の前記略中央部が直線状になるようにし、ガラス板１３７もその形状に合わせるようにしてもよい。また、ガラス板１３７は、ガラスに限定されず、所定の強度がある透明板であればその材質などは問わない。
【００３９】
さらに、ガラス枠部２３は、図１に示すように、窓部１０１の周囲に各種の電飾部（第１電飾部３００、第２電飾部３０２および第３電飾部３０４）を備えている。つまり、前面枠セット１４は、図１に示すように、その前面視した状態で窓部１０１の周囲で左箇所に、ＬＥＤ等を内蔵した第１電飾部３００（左側電飾部）を、窓部１０１の周囲で右箇所に、ＬＥＤ等を内蔵した第２電飾部３０２（右側電飾部）を、窓部１０１の周囲で上箇所に、ＬＥＤ等を内蔵した第３電飾部３０４（上側電飾部）を備えている。これらの電飾部は、大当たり時や所定のリーチ時等における遊技状態の変化に応じて点灯、点滅のように発光態様が変更制御され遊技中の演出効果を高める役割を果たすものである。
【００４０】
本パチンコ機１０では、第１電飾部３００、第２電飾部３０２および第３電飾部３０４は、大当たりランプとして機能し、大当たり時に点灯や点滅を行うことにより、大当たり中であることを報知する。その他、本パチンコ機１０の第１電飾部３００および第２電飾部３０２には、賞球払出し中に点灯する賞球ランプ１０５と、所定のエラー時に点灯するエラー表示ランプ１０６とが備えられている。また、窓部１０１の周縁で右斜め下箇所には、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００４１】
また、窓部１０１の下方には貸球操作部１２０が配設されており、貸球操作部１２０には球貸しボタン１２１と返却ボタン１２２とが設けられている。パチンコ機１０の側方に配置された図示省略のカードユニット（球貸しユニット）に紙幣やカード（例えばプリペイドカード）等を挿入口（図示省略）に挿入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニット（図示省略）に挿入されたカード等の返却を求める際に操作される。なお、貸球操作部１２０にさらに度数表示部（図示省略）を設けるようにしてもよい。この度数表示部（図示省略）は、カード等の残額情報を表示するものである。なお、カードユニット（図示省略）を介さずに球貸し装置等から上皿に遊技球が直接貸し出されるパチンコ機、いわゆる現金機では貸球操作部１２０が不要となる。故に、貸球操作部１２０の設置部分に、飾りシール等が付される。これにより、カードユニット（図示省略）を用いたパチンコ機と現金機との貸球操作部の共通化が図れる。
【００４２】
遊技盤３０は、図４に示すように、正面視で四角形状の合板でその左側上下の両角部が取れたような形状としており、その周縁部（後述するレール５１，５２の外側部分）が内枠１２の樹脂ベース１２ａの裏側に当接した状態で取り付けられており、この遊技盤３０の前面側の略中央部分たる遊技領域３０ａが樹脂ベースの略楕円形状の図１に示した窓部１０１（ガラス板１３７）を通じて前面枠セット１４の前方外側から視認可能な状態である。
【００４３】
次に、図４を用いて遊技盤３０の構成を説明する。遊技盤３０は、一般入賞口３１、可変入賞装置３２、始動入賞装置３３（例えば作動チャッカ）、第３の始動口３４（例えばスルーゲート）および可変表示装置ユニット３５を備えている。これらの一般入賞口３１、可変入賞装置３２、始動入賞装置３３、第３の始動口３４および可変表示装置ユニット３５は、遊技盤３０における、ルータ加工によって形成された各貫通穴にそれぞれに配設され、遊技盤３０前面側から木ネジ等により取り付けられている。一般入賞口３１、可変入賞装置３２、始動入賞装置３３に遊技球が入球し、当該入球が後述する図示省略の検出スイッチ（入賞口スイッチ、カウントスイッチ、作動口スイッチ）で検出され、この検出スイッチの出力に基づいて、上皿１９（または下皿１５）へ所定数の賞品球が払い出される。
【００４４】
また、始動入賞装置３３は、図４に示すように、上から順に、第１の始動口３３ａ（例えば作動チャッカ）と第２の始動口３３ｂ（例えば作動チャッカ）とが上下に配設された単一の入賞装置で構成されている。そして、上部側の第１の始動口３３ａには図示省略の第１の始動口３３ａ用の作動口スイッチ（通過検出スイッチ）が設けられ、この第１の始動口３３ａへの入球をその第１の始動口３３ａ用の作動口スイッチ（図示省略）により検出される。また、下部側の第２の始動口３３ｂには図示省略の第２の始動口３３ｂ用の作動口スイッチ（通過検出スイッチ）が設けられ、この第２の始動口３３ｂへの入球をその第２の始動口３３ｂ用の作動口スイッチ（図示省略）により検出される。すなわち、上部側の第１の始動口３３ａへの遊技球の入球または下部側の第２の始動口３３ｂへの遊技球の入球のどちらの場合にも、それが始動入賞であることに変わりは無く、それらの入球を個別に検出できる。
【００４５】
その他に、図４に示すように、遊技盤３０にはアウト口３６が設けられており、各種入賞装置等に入球しなかった遊技球はこのアウト口３６を通って図示しない球排出路の方へと案内される。遊技盤３０の遊技領域３０ａには、遊技球の落下方向を適宜分散、調整等するために多数の釘が植設されているとともに、風車３７等の各種部材（役物）が配設されている。
【００４６】
可変表示装置ユニット３５は、第１の始動口３３ａ，第２の始動口３３ｂへの入賞をトリガとして、識別情報としての第１図柄（例えば特別図柄）を変動表示する第１図柄表示装置４０と、第３の始動口３４の通過をトリガとして、第２図柄（例えば普通図柄）を変動表示する第２図柄表示装置４１と、第１の始動口３３ａ，第２の始動口３３ｂへの入賞をトリガとして、第３図柄（例えば装飾図柄）を変動表示する第３図柄表示装置４２とを備えている。
【００４７】
第１図柄表示装置４０は、例えば、第１の始動口３３ａへの入球に基づいて変動発光等する複数個（本実施例では２個）の２色発光タイプのＬＥＤ（発光ダイオード）４０ａ，４０ｂと、このＬＥＤ４０ａ，４０ｂでの変動表示の保留数を示す、第３図柄表示装置４２に画面表示される保留表示部４０ｃと、第２の始動口３３ｂへの入球に基づいて変動発光等する複数個（本実施例では２個）の２色発光タイプのＬＥＤ（発光ダイオード）４０ｄ，４０ｅと、このＬＥＤ４０ｄ，４０ｅでの変動表示の保留数を示す、第３図柄表示装置４２に画面表示される保留表示部４０ｆとを備えている。
【００４８】
第１の始動口３３ａへの入球に基づいて変動発光等するＬＥＤ４０ａ，４０ｂは、例えば、赤色と青色に発光可能なものである。第１図柄表示装置４０は、各ＬＥＤ４０ａ，４０ｂの発光色を交互に変更させることで、第１図柄（本実施例では各ＬＥＤ４０ａ，４０ｂの発光色態様）の変動表示状態を発生させ、例えば、両方のＬＥＤ４０ａ，４０ｂが赤色発光状態で停止すると確変大当り（特定当り）を示し、両方のＬＥＤ４０ａ，４０ｂが青色発光状態で停止すると通常大当り（非特定当り）を示し、両方のＬＥＤ４０ａ，４０ｂが互いに異なる色の発光状態で停止すると外れを示す。
【００４９】
上記と同様に、第２の始動口３３ｂへの入球に基づいて変動発光等するＬＥＤ４０ｄ，４０ｅは、例えば、赤色と青色に発光可能なものである。第１図柄表示装置４０は、各ＬＥＤ４０ｄ，４０ｅの発光色を交互に変更させることで、第１図柄（本実施例では各ＬＥＤ４０ｄ，４０ｅの発光色態様）の変動表示状態を発生させ、例えば、両方のＬＥＤ４０ｄ，４０ｅが赤色発光状態で停止すると確変大当り（特定当り）を示し、両方のＬＥＤ４０ｄ，４０ｅが青色発光状態で停止すると通常大当り（非特定当り）を示し、両方のＬＥＤ４０ｄ，４０ｅが互いに異なる色の発光状態で停止すると外れを示す。
【００５０】
なお、この第１図柄表示装置４０として、少なくとも３色以上の発光が可能なタイプの単一のＬＥＤを採用してもよく、各色の発光を交互などに行うようにすることで、第１図柄の変動表示状態を発生させ、ＬＥＤが第１の色の発光状態で停止すると確変大当り（特定当り）を示し、ＬＥＤが第２の色の発光状態で停止すると通常大当り（非特定当り）を示し、ＬＥＤが第３の色の発光状態で停止すると外れを示すようにしてもよい。なお、上述した第１図柄表示装置４０が本発明における識別情報変動表示手段に相当する。
【００５１】
第２図柄表示装置４１は、第２図柄用としての例えば「○」が描かれた表示部４１ａと、第２図柄用としての例えば「×」が描かれた表示部４１ｂと、第３図柄表示装置４２に画面表示される保留表示部４１ｃとを有し、遊技球が第３の始動口３４を通過する毎に例えば表示部４１ａ，４１ｂによる表示図柄（普通図柄）が変動し、その変動表示が所定図柄で停止した場合に下部側の第２の始動口３３ｂが所定時間だけ作動状態となる（開放される）よう構成されている。遊技球が第３の始動口３４を通過した回数は最大４回まで保留され、その保留回数が保留表示部４１ｃにて表示される。なお、表示部４１ａ，４１ｂは、その内部にＬＥＤ（発光ダイオード）を有しており、このＬＥＤの発光（あるいはランプの点灯）を切り換えることにより変動表示される構成としている。なお、上述した第２図柄表示装置４１が本発明における普通識別情報変動表示手段に相当する。
【００５２】
第３図柄表示装置４２は、例えば液晶表示装置で構成されており、後述する表示制御装置４５により表示内容が制御される。第３図柄表示装置４２には、例えば、左、中及び右の３つの装飾図柄列（図示省略）が表示される。各装飾図柄列（図示省略）は複数の装飾図柄によって構成されており、これら装飾図柄が装飾図柄列（図示省略）毎にスクロールされるようにして第３図柄表示装置４２に可変表示される。なお本実施の形態では、第３図柄表示装置４２（液晶表示装置）は、例えば、１１インチサイズの大型の液晶ディスプレイを備える。可変表示装置ユニット３５には、正面視した状態で第３図柄表示装置４２の表示画面をほぼ囲むようにしてこの第３図柄表示装置４２の前方側にセンターフレーム４７が配設されている。本実施形態では第３図柄表示装置４２としてＬＣＤを採用するが他の種類の画像表示装置（例えば、ＰＤＰ：プラズマ・ディスプレイ・パネルや、ＥＬ：エレクトロ・ルミネッセンス・ディスプレイや、有機ＥＬなど）でもよい。なお、上述した第３図柄表示装置４２が本発明における装飾識別情報（図柄）変動表示手段に相当し、上述した表示制御装置４５が本発明における表示制御手段に相当する。
【００５３】
図４に示すように、可変入賞装置３２は、通常は遊技球が入賞できない又は入賞し難い閉状態であり、大当りの際に遊技球が入賞しやすい開状態と通常の閉状態とに繰り返し作動されるものである。このように、大当りの際に可変入賞装置３２が開状態と通常の閉状態とに繰り返し作動される状態は、特定遊技状態（例えば、大当り状態）と呼ばれ、可変入賞装置３２に多数の遊技球が入球（入賞）し、その入賞に対して大量の遊技球が賞球払い出しされることから、遊技者にとって有利な遊技状態である。つまり、本実施例のパチンコ機１０は、遊技球の投入数（遊技球発射装置３８による遊技球の遊技領域３０ａへの発射数）の方が、遊技球の賞球払出数（一般入賞口３１、可変入賞装置３２、始動入賞装置３３、第３の始動口３４などへの遊技球の入球に基づく賞球払出数）よりも多い通常遊技状態（遊技球消費状態）と、遊技球の賞球払出数の方が遊技球の投入数よりも多い特定遊技状態（例えば、大当り状態）とに状態変移可能なものである。
【００５４】
より詳しくは、第１の始動口３３ａに対し遊技球が入賞すると第１図柄表示装置４０の２個のＬＥＤ４０ａ，４０ｂが変動表示され、その変動停止後のＬＥＤ４０ａ，４０ｂの表示が予め設定した発光態様の組合せとなった場合に特定遊技状態が発生する。例えば、両方のＬＥＤ４０ａ，４０ｂが赤色発光状態で停止するという発光態様の場合には、確変大当り（特定当り）の特定遊技状態に当選したことを示し、両方のＬＥＤ４０ａ，４０ｂが青色発光状態で停止するという発光態様の場合には、通常大当り（非特定当り）の特定遊技状態に当選したことを示し、両方のＬＥＤ４０ａ，４０ｂが互いに異なる色の発光状態で停止するという発光態様の場合には外れ（特定遊技状態に落選したこと）を示す。
【００５５】
上記と同様に、第２の始動口３３ｂに対し遊技球が入賞すると第１図柄表示装置４０の２個のＬＥＤ４０ｄ，４０ｅが変動表示され、その変動停止後のＬＥＤ４０ｄ，４０ｅの表示が予め設定した発光態様の組合せとなった場合に特定遊技状態が発生する。例えば、両方のＬＥＤ４０ｄ，４０ｅが赤色発光状態で停止するという発光態様の場合には、確変大当り（特定当り）の特定遊技状態に当選したことを示し、両方のＬＥＤ４０ｄ，４０ｅが青色発光状態で停止するという発光態様の場合には、通常大当り（非特定当り）の特定遊技状態に当選したことを示し、両方のＬＥＤ４０ｄ，４０ｅが互いに異なる色の発光状態で停止するという発光態様の場合には外れ（特定遊技状態に落選したこと）を示す。
【００５６】
そして、可変入賞装置３２は、その大入賞口３２ａが所定の開放状態となり、遊技球が入賞しやすい状態（大当たり状態）になるよう構成されている。具体的には、当該開放状態についての所定時間の経過又は所定個数の入賞を１ラウンドとして、可変入賞装置３２の大入賞口３２ａが所定回数（ラウンド数）繰り返し開放される。また、遊技球が第１の始動口３３ａを通過した回数は最大４回まで保留され、その保留回数が保留表示部４０ｃにて表示される。また、遊技球が第２の始動口３３ｂを通過した回数も最大４回まで保留され、その保留回数が保留表示部４０ｆにて表示される。なお、保留表示部４０ｃ，４０ｆは、第３図柄表示装置４２の表示画面の一部で保留表示するものとしているが、保留ランプなどを用いて点灯表示するようにしても良い。
【００５７】
また、遊技盤３０には、図４に示すように、遊技球発射装置３８（図３参照）から発射された遊技球を遊技盤３０上部へ案内するための複数本のレール５１，５２が取り付けられており、遊技球発射ハンドル１８の回動操作に伴い発射された遊技球は複数本のレール５１，５２の後述する球案内通路４９を通じて所定の遊技領域３０ａに案内される。複数本のレール５１，５２は長尺状をなすステンレス製の金属帯状部材であり、内外二重に遊技盤３０に取り付けられている。内レール５１は上方の約１／４ほどを除いて略縦楕円環状に形成されている。外レール５２は、一部（主に左側部）が内レール５１に向かい合うようにして形成されている。かかる場合、内レール５１と外レール５２とにより誘導レールが構成され、これら各レール５１，５２が所定間隔を隔てて並行する部分（向かって左側の部分）により球案内通路４９が形成されている。なお、球案内通路４９は、遊技盤３０との当接面を有した溝状、すなわち手前側を開放した溝状に形成されている。
【００５８】
内レール５１の先端部分（図４の左上部）には、戻り球防止部材５３が取り付けられている。これにより、一旦、内レール５１及び外レール５２間の球案内通路４９から遊技盤３０の上部へと案内された遊技球が再度球案内通路４９内に戻ってしまうといった事態が防止される。また、遊技盤３０が内枠１２に取り付けられた状態において、外レール５２における、遊技球の最大飛翔部分に対応する位置（図４の右上部：外レール５２の先端部に相当する部位）には、内枠１２に設けられた返しゴム５４（図４に二点鎖線で示す部材）が位置している。従って、所定以上の勢いで発射された遊技球は、返しゴム５４に当たって跳ね返されることになる。外レール５２は、長尺状をなすステンレス製の金属帯としているので、遊技球の飛翔をより滑らかなものとする、つまり遊技球の摩擦抵抗を少なくすることができる。なお、図４に破線で示すように、外レール５２の先端部から内レール５１の右側先端部までは、内枠１２に形成された壁部６０（図４に破線で示す）が位置することにより、遊技領域３０ａが仕切られている。
【００５９】
なお、遊技盤３０の右下隅部は、図４に示すように、証紙の製造番号（例えば、遊技機の製造業者記号と一連の連続番号とからなる）が表記されている証紙シールＳ１が貼り付けられた証紙部品４００を設けるためのスペースとして活用されている。遊技盤３０の右下隅部に、証紙シールＳ１が貼り付けられた証紙部品４００を固定することで、遊技盤３０と証紙との一義性を持たせることができる。
【００６０】
また、内枠１２は、図３に示すように、その裏面側に遊技盤３０が取り付けられた状態において、遊技盤３０の証紙部品４００が挿入位置する証紙用開口部１２ｂを備えている。なお、この内枠１２の証紙用開口部１２ｂは、後述する証紙ベース４１０全体が見える大きさとなっている。
【００６１】
次に、遊技盤３０の遊技領域３０ａについて説明する。遊技領域３０ａは、図４に示すように、内レール５１と外レール５２との内周部（内外レール）により略縦長円形状に区画形成されており、特に本実施の形態では、遊技盤３０の盤面上に区画される当該遊技領域３０ａが大きく構成されている。
【００６２】
本実施の形態では、遊技領域３０ａを、パチンコ機１０の正面から見て、内レール５１及び外レール５２によって囲まれる領域のうち、内外レール５１，５２の並行部分である誘導レールの領域を除いた領域としている。従って、遊技領域３０ａと言った場合には誘導レール部分は含まないため、遊技領域３０ａの向かって左側限界位置は外レール５２によってではなく内レール５１によって特定される。同様に、遊技領域３０ａの向かって右側限界位置は内レール５１によって特定される。また、遊技領域３０ａの下側限界位置は遊技盤３０の下端位置によって特定される。また、遊技領域３０ａの上側限界位置は外レール５２によって特定される。
【００６３】
なお、詳しい図面の開示は省略するが、遊技球発射装置３８には、前面枠セット１４の図示省略の球出口（上皿１９の最下流部より通じる球出口）から遊技球が１つずつ供給される。
【００６４】
次に、パチンコ機１０の背面の構成について説明する。図２に示すように、パチンコ機１０は、その背面（実際には内枠１２及び遊技盤３０の背面）において、各種制御装置（図示省略の主制御装置とサブ制御装置など）が上下左右に並べられるようにして又は前後に重ねられるようにして配置されており、さらに、遊技球を供給するための遊技球供給装置や樹脂製の保護カバー等が取り付けられている。
【００６５】
続いて、本実施例のパチンコ機１０のさらなる特徴部分である証紙部品４００について、図６〜図１１を用いて説明する。
【００６６】
図６は、証紙部品４００の前方右上視の分解斜視図である。図７は、証紙部品４００の前方左上視の分解斜視図である。図８は、証紙部品４００の後方右上視の分解斜視図である。図９は、証紙部品４００の後方左上視の分解斜視図である。図１０は、遊技盤３０の証紙部品４００の取付箇所の縦断面図である。
【００６７】
遊技盤３０は、図４及び図５に示すように、その正面視右下箇所（被取付箇所３０ｂ）に、遊技製品に関する証明情報を表示する証紙部品４００が取り付けられている。
【００６８】
また、この証明情報としては、所定の検定機関の検定を受けて合格したことを示す唯一無二の検定番号（例えば、遊技機の製造業者記号と一連の連続番号とからなる証紙の製造番号）が挙げられる。
【００６９】
ここで、証紙部品４００が取り付けられる遊技盤３０の正面視右下箇所（被取付箇所３０ｂ）について説明する。
【００７０】
遊技盤３０は、図６及び図７に示すように、その正面視右下箇所（被取付箇所３０ｂ）での２箇所に、証紙部品４００を取り付けるためのネジ４３２が螺入される下穴３０ｃが形成されている。
【００７１】
続いて、証紙部品４００の構造について説明する。
【００７２】
証紙部品４００は、図６〜図９に示すように、証紙の製造番号を表記する証紙シールＳ１が前面側に貼り付けられる証紙プレート蓋４１０と、この証紙プレート蓋４１０が取り付けられて、且つ、遊技盤３０の正面視右下箇所（被取付箇所３０ｂ）に取り付けられる箱状の証紙プレート本体４２０とを備えている。本実施例では、証紙プレート蓋４１０及び証紙プレート本体４２０は、例えば樹脂成型品を採用している。
【００７３】
証紙シールＳ１は、一旦貼り付けられた後に剥がそうとすると、その少なくとも一部が破損するような壊れやすいものであり、貼り付け後にきれいに剥がされて不正に再使用されないものである。
【００７４】
証紙プレート本体４２０は、図６〜図９に示すように、前面側が開口した箱状形状であり、その前面側を正面視した状態で略四角形で平板状で遊技盤３０と取り付けられる後面部４２１と、この後面部４２１の各辺からそれぞれ前方向に延出した上面部４２２、下面部４２３、左面部４２４および右面部４２５とを備えている。
【００７５】
証紙プレート蓋４１０は、図６〜図９に示すように、証紙プレート本体４２０の開口を塞ぐようにして、後述する前面板部４１２が当該証紙プレート本体４２０の開口側の窪み部４２６に収めて取り付けられる。具体的には、証紙プレート蓋４１０は、図１０に示すように、その前面板部４１２が証紙プレート本体４２０の窪み部４２６に収められた取り付け状態において、証紙プレート本体４２０の前面とほぼ面一で取り付けられている。より正確に言えば、証紙プレート蓋４１０は、その前面が証紙プレート本体４２０の最前面位置よりも僅かに入り込んで、証紙プレート本体４２０に取り付けられている。
【００７６】
さらに、証紙部品４００は、図６〜図９に示すように、証紙プレート蓋４１０と証紙プレート本体４２０とをそれらで形成される内部空間側で係止するものであって証紙プレート蓋４１０を証紙プレート本体４２０から取り外し不可に係止する内部係止部４８０を備えている。
【００７７】
証紙プレート本体４２０は、図６〜図９に示すように、外部からの固定解除アクセスが不可に遊技盤３０に固定される取付部４３０と、この取付部４３０以外の部分であって内部係止部４８０を含む係止容器部４４０と、取付部４３０と係止容器部４４０とを繋ぐ部分であって当該取付部４３０と係止容器部４４０とを分離するために破壊される被切断部４５０と、この被切断部４５０を除いて取付部４３０と係止容器部４４０との境界部分に形成された切り欠き部４６０とを備えている。
【００７８】
取付部４３０は、図８及び図９に示すように、後面部４２１のうちの一部である後面視での左下角部及び右上角部に設けられている。取付部４３０は、左下角部及び右上角部にそれぞれ形成されたネジ挿入孔４３１に挿入されたネジ４３２を遊技盤３０にネジ止めすることで、証紙プレート本体４２０を遊技盤３０に固定するものである。
【００７９】
証紙プレート蓋４１０は、図８及び図９に示すように、証紙プレート本体４２０への取付状態において、取付部４３０の正面視でネジ４３２の周囲の対向二箇所にそれぞれ向かうように延出した２個の延出覆い柱部４１１を備えている。図８及び図９に示すように、証紙プレート蓋４１０の裏面視で右上角部に２個の延出覆い柱部４１１が形成され、証紙プレート蓋４１０の裏面視で左下角部に２個の延出覆い柱部４１１が形成されている。
【００８０】
さらに、この証紙プレート本体４２０は、図６〜図９に示すように、切り欠き部４６０と係止容器部４４０とを仕切る仕切壁部４７０を備えている。この仕切壁部４７０は、証紙プレート本体４２０の後面部４２１から開口側に向けて突出した壁部である。
【００８１】
証紙プレート本体４２０の係止容器部４４０は、図６及び図７に示すように、後面部４２１での取付部４３０以外の部分に設けられている。具体的には、証紙プレート本体４２０の係止容器部４４０は、上面部４２２のうちで取付部４３０以外の部分と、右面部４２５のうちで取付部４３０以外の部分と、下面部４２３のうちで取付部４３０以外の部分と、左面部４２４のうちで取付部４３０以外の部分と、仕切壁部４７０と、後面部４２１のうちで取付部４３０以外の部分とで構成される。
【００８２】
また、証紙プレート蓋４１０は、図８及び図９に示すように、証明情報を表示する証紙シールＳ１が前面側に貼り付けられた前面板部４１２と、この前面板部４１２から突出されて証紙プレート本体４２０の係止容器部４４０に挿入される突出周壁部４１３とを備えている。
【００８３】
内部係止部４８０は、図６〜図１０に示すように、係止爪４８１と、この係止爪４８１が嵌る被係止部４８２とを備えている。
【００８４】
この係止爪４８１は、図１０に示すように、証紙プレート本体４２０の係止容器部４４０での突出周壁部４１３と対向する側に形成されている。具体的には、係止爪４８１は、上面部４２２の内側と下面部４２３の内側とにそれぞれ形成されている。
【００８５】
被係止部４８２は、図１０に示すように、証紙プレート蓋４１０が証紙プレート本体４２０に取り付けられた状態において、証紙プレート蓋４１０の突出周壁部４１３での係止爪４８１に対応する箇所に形成されている。この被係止部４８２は、図１０に示すように、係止爪４８１の係止解除を阻止する、外側へ突出した返し爪部４８２ａを備えている。
【００８６】
また、図１０に示すように、係止爪４８１は、被係止部４８２との係止状態において、被係止部４８２の開口４８２ｂに未挿入状態となっているが、係止爪４８１が被係止部４８２の開口４８２ｂに挿入されて係止状態となるものであってもよい。
【００８７】
証紙プレート本体４２０の後面部４２１は、図６〜図９に示すように、内部係止部４８０を解除するためのスリット孔４２１ａを備えている。
【００８８】
また、内枠１２は、図２及び図３に示すように、証紙シールＳ１が視認可能に証紙部品４００が挿入される証紙用開口１２ｂと、証紙プレート本体４２０の切り欠き部４６０を覆う被覆部１２ｃとを備えている。
【００８９】
なお、上述した証紙部品４００が本発明における証明情報表示部品に相当し、上述した遊技盤３０が本発明における遊技部品に相当し、上述した証紙プレート蓋４１０が本発明における表記部品に相当し、上述した証紙プレート本体４２０が本発明における本体部品に相当し、上述した内部係止部４８０が本発明における内部係止手段に相当し、上述した取付部４３０が本発明における固定部に相当し、上述した係止容器部４４０が本発明における係止体部に相当し、上述した被切断部４５０が本発明における被破壊部に相当し、上述した内枠１２が本発明における取付面側部材に相当し、上述した証紙用開口１２ｂが本発明における開口部に相当し、上述した被覆部１２ｃが本発明における覆い部に相当し、上述した仕切壁部４７０が本発明における仕切部に相当し、上述した後面部４２１が本発明における取付面部に相当し、上述したスリット孔４２１ａが本発明における解除用細隙孔に相当し、上述したネジ挿入孔４３１及びネジ４３２が本発明における締結部に相当し、上述した延出覆い柱部４１１が本発明における延出覆い部に相当し、上述した証紙シールＳ１が本発明における表記部に相当し、上述した前面板部４１２が本発明における板状部に相当し、上述した係止爪４８１が本発明における係止突起部に相当する。
【００９０】
ここで、証紙部品４００の遊技盤３０への取り付け手順について、図１１を用いて説明する。図１１（ａ），（ｂ）は、証紙部品４００の遊技盤３０への取り付け手順を示す証紙部品４００などの縦断面図である。
【００９１】
まず、図１１（ａ）に示すように、証紙プレート本体４２０を遊技盤３０の正面視右下箇所（被取付箇所３０ｂ）に位置させた状態で、後面部４２１のネジ挿入孔４３１に挿入したネジ４３２を遊技盤３０の下穴３０ｃにネジ止めすることで、証紙プレート本体４２０を遊技盤３０の正面視右下箇所（被取付箇所３０ｂ）に固定する。
【００９２】
続いて、図１１（ａ）に示すように、証紙プレート蓋４１０の前面側に証紙シールＳ１を貼り付ける。
【００９３】
そして、証紙シールＳ１が貼り付けられた証紙プレート蓋４１０を、遊技盤３０の正面視右下箇所（被取付箇所３０ｂ）の証紙プレート本体４２０に取り付ける。具体的には、証紙プレート蓋４１０の突出周壁部４１３を、証紙プレート本体４２０の係止容器部４４０に挿入するようにして、この証紙プレート蓋４１０を証紙プレート本体４２０の窪み部４２６に位置するようにして取り付ける。
【００９４】
図１１（ｂ）に示すように、証紙プレート蓋４１０が証紙プレート本体４２０に取り付けられると、証紙プレート本体４２０の上面部４２２及び下面部４２３の各係止爪４８１が、証紙プレート蓋４１０の突出周壁部４１３の各被係止部４８２にそれぞれ係止された状態となる。この係止状態を解除（つまり、被係止部４８２を内側に撓ませて係止爪４８１との係止を解除）しない限り、証紙プレート蓋４１０が遊技盤３０の証紙プレート本体４２０から取り外し不可となっている。
【００９５】
なお、証紙プレート本体４２０の後面部４２１のネジ挿入孔４３１に挿入したネジ４３２は、図１１（ｂ）に示すように、証紙プレート蓋４１０と証紙プレート本体４２０との内部にあり、証紙プレート蓋４１０が証紙プレート本体４２０から取り外し不可であることから、証紙プレート本体４２０の被切断部４５０を切断して、証紙プレート蓋４１０及び被切断部４５０が切断された証紙プレート本体４２０ごと取り外さない限り、このネジ４３２にアクセスできない。
【００９６】
このようにして、証紙部品４００の遊技盤３０への取り付けが完了する（図１１（ｂ）参照）。
【００９７】
次に、証紙部品４００の遊技盤３０への取り外し手順について、図１２〜図１４を用いて説明する。図１２（ａ）〜（ｃ）は、証紙部品４００の遊技盤３０からの取り外し手順を示す証紙部品４００及び遊技盤３０の一部破断前方右上視斜視図である。図１３（ａ）〜（ｃ）は、証紙部品４００の遊技盤３０からの取り外し手順を示す証紙部品４００及び遊技盤３０の一部破断前方左下視斜視図である。図１４（ａ）〜（ｃ）は、証紙部品４００の遊技盤３０からの取り外し手順を示す証紙部品４００などの縦断面図である。
【００９８】
図１２（ａ）、図１３（ａ）及び図１４（ａ）に示すように、証紙プレート本体４２０の被切断部４５０を例えば切断工具を用いて切断する。具体的には、図１２（ａ）及び図１３（ａ）に示すように、証紙プレート本体４２０の左上角部の２箇所の被切断部４５０及び証紙プレート本体４２０の右下角部の２箇所の被切断部４５０を切断する。
【００９９】
こうすることで、証紙プレート本体４２０の取付部４３０と係止容器部４４０とが完全に分離される。
【０１００】
続いて、図１２（ｂ）、図１３（ｂ）及び図１４（ａ）に示すように、証紙プレート蓋４１０及び被切断部４５０が切断された証紙プレート本体４２０ごと、遊技盤３０から取り外す。なお、図１２（ｂ）、図１３（ｂ）及び図１４（ａ）に示すように、遊技盤３０には、被切断部４５０が切断された取付部４３０が遊技盤３０側に固定された状態で残っている。
【０１０１】
続いて、図１４（ｂ）に示すように、証紙プレート本体４２０の後面部４２１に形成されたスリット孔４２１ａに、図示省略の細状具を挿入して、内部係止部４８０を解除する。具体的には、被切断部４５０が切断された証紙プレート本体４２０の係止容器部４４０の係止爪４８１を証紙プレート蓋４１０の突出周壁部４１３の被係止部４８２から外れるように、証紙プレート本体４２０の後面部４２１のスリット孔４２１ａに挿入した図示省略の細状具を用いて被係止部４８２を内側に撓ませて、図１２（ｃ）、図１３（ｃ）及び図１４（ｃ）に示すように、証紙プレート蓋４１０を証紙プレート本体４２０から取り出す。
【０１０２】
このように、証紙部品４００の遊技盤３０からの取り外しが完了する。
【０１０３】
なお、証紙プレート本体４２０の被切断部４５０が切断されており、証紙プレート本体４２０は再使用できない状態であるのに対して、証紙プレート蓋４１０は、特に損傷を受けていないため、再使用可能である。つまり、製造メーカーは証紙プレート本体４２０を正当所持しており、遊技盤３０の出荷前試験で初期不良が発見された場合には、その初期不良であった遊技盤３０の証紙プレート蓋４１０を、正常な遊技盤３０の証紙プレート本体４２０に取り付けて、この証紙プレート本体４２０に係止させてホールに出荷できる。
【０１０４】
上述したように、本実施例１のパチンコ機１０によれば、遊技製品に関する証明情報を表示した証紙部品４００と、この証紙部品４００が取り付けられる遊技盤３０と、を備え、証紙部品４００は、証明情報を表示する証紙プレート蓋４１０と、この証紙プレート蓋４１０が取り付けられて、且つ、遊技盤３０に取り付けられる証紙プレート本体４２０と、証紙プレート蓋４１０と証紙プレート本体４２０とをそれらで形成される内部空間側で係止するものであって証紙プレート蓋４１０を証紙プレート本体４２０から取り外し不可に係止する内部係止部４８０とを備え、証紙プレート本体４２０は、外部からの固定解除アクセスが不可に遊技盤３０に固定される取付部４３０と、この取付部４３０以外の部分であって内部係止部４８０を含む係止容器部４４０と、取付部４３０と係止容器部４４０とを繋ぐ部分であって当該取付部４３０と係止容器部４４０とを分離するために破壊される被切断部４５０と、この被切断部４５０を除いて取付部４３０と係止容器部４４０との境界部分に形成された切り欠き部４６０とを備えている。
【０１０５】
したがって、証紙部品４００の証紙プレート本体４２０がその取付部４３０で遊技盤３０に固定されて、この証紙プレート本体４２０に証紙プレート蓋４１０が内部係止部４８０によって係止されると、取付部４３０に対して外部から固定解除アクセスができないので、取付部４３０ごと証紙プレート本体４２０を遊技盤３０から取り外すことができないし、証紙部品４００の証紙プレート本体４２０の被切断部４５０を破壊しない限り、証紙プレート本体４２０の取付部４３０と係止容器部４４０とが分離できず、この分離された係止容器部４４０に対して内部係止部４８０による係止を解除しなければ、証紙プレート蓋４１０を係止容器部４４０から取り外せないことから、証紙部品４００と遊技盤３０との一体不可分性を確保でき、証紙部品４００が不正に交換されることを低減できる。
【０１０６】
また、検定合格後で製造メーカー出荷前試験において遊技盤３０（証紙部品４００の取り付け済み）に故障や不良があった場合や、ホール設置作業で遊技盤３０を落下破損させた場合等には、証紙部品４００の証紙プレート本体４２０の被切断部４５０を破壊することで、証紙プレート本体４２０の取付部４３０と係止容器部４４０とが分離され、取付部４３０が遊技盤３０に固定されたまま残り、証紙プレート本体４２０の係止容器部４４０を遊技盤３０から取り外すことができ、この分離された係止容器部４４０に対して内部係止部４８０による係止を解除して、証紙プレート蓋４１０を係止容器部４４０から取り外し、この取り外した証紙プレート蓋４１０を、例えば検定を受けた新たな遊技盤３０に取り付けた製造メーカー側が所有する新品の証紙プレート本体４２０に対して取り付け係止させて当該新たな遊技盤３０を出荷することができ、遊技機のホール設置の際に、複数の遊技機の証紙部品４００を一連の番号順とすることができる。
【０１０７】
また、ホール設置後に、ある遊技機の証紙部品４００の被切断部４５０が不正に破壊されて、証紙部品４００が遊技盤３０から不正に取り外されて他の遊技機に使用しようとしても、取付部４３０が切り取られているため他の遊技機の遊技盤３０に取り付けることができないし、仮に他の遊技機に不正接着などしても、当該他の遊技機での被切断部４５０の破壊痕跡を見ることで、正当作業者（例えば、製造メーカー作業者）でない者によって破壊されたことの推測ができる。
【０１０８】
例えば、検定を受けていない遊技盤３０に、正規の証紙部品４００が取り付けられてホールで不正営業されていたり、証紙部品４００を勝手に付け替えられたりしている場合には、被切断部４５０が破壊された証紙プレート本体４２０を再使用していたり、証紙プレート本体４２０の取付部４３０が切除されたて当該取付部４３０が存在しないため、ホール関係者や製造メーカー作業者は、被切断部４５０の破壊痕跡や取付部４３０の不存在を目ることで、何らかの不正行為があったと推測でき、不正行為を低減できる。その結果、証紙部品４００（例えば、証紙）の交換が可能で、かつ、不正に証紙部品４００を交換した場合にはその発見が可能な遊技機を提供することができる。
【０１０９】
また、遊技盤３０での証紙部品４００の取付面側に位置する内枠１２を備え、この内枠１２は、証紙プレート蓋４１０が視認可能に証紙部品４００の証紙プレート本体４２０が挿入される証紙用開口１２ｂと、切り欠き部４６０を覆う被覆部１２ｃとを備えているので、証紙プレート本体４２０の切り欠き部４６０に不正具を進入させるなどの不正行為を低減できる。また、遊技盤３０と内枠１２とを離さないと、証紙プレート本体４２０の被切断部４５０が露わにならないため、証紙部品４００の不正取り外しを低減できる。
【０１１０】
また、証紙プレート本体４２０は、切り欠き部４６０と係止容器部４４０とを仕切る仕切壁部４７０を備えているので、例えば、不正行為者が切り欠き部４６０から係止容器部４４０に不正具を挿入させて内部係止部４８０による係止を不正に解除しようとしても、その不正具の進入が仕切壁部４７０で阻止でき、不正具を係止容器部４４０の内部に到達させることができず、内部係止部４８０による係止の不正解除を防止できる。また、証紙プレート本体４２０は仕切壁部４７０を備えているので、証紙プレート本体４２０を仕切壁部４７０で補強することができ、不正行為者が証紙プレート本体４２０に力を加えて変形させることを低減でき、かかる変形で不正に証紙プレート蓋４１０の係止解除することも低減できる。
【０１１１】
また、証紙プレート本体４２０は、遊技盤３０と取り付けられる側に後面部４２１を備え、この後面部４２１とは反対側が開口された箱状形状であり、証紙プレート蓋４１０は、証紙プレート本体４２０の開口側に当該開口を塞ぐようにして取り付けられ、取付部４３０は、後面部４２１のうちの一部に設けられ、係止容器部４４０は、後面部４２１での取付部４３０以外の部分に設けられ、後面部４２１は、内部係止部４８０を解除するためのスリット孔４２１ａを備えている。したがって、証紙プレート本体４２０は後面部４２１を備えているので、証紙部品４００の遊技盤３０への取付状態において、その証紙プレート本体４２０の遊技盤３０と対向する側から不正具を進入させようとしても、証紙プレート本体４２０の後面部４２１によってその進入が排除でき、証紙プレート本体４２０に不正具を進入させるなどの不正行為を低減できる。また、遊技盤３０と内枠１２とを離さないと、証紙プレート本体４２０の後面部４２１のスリット孔４２１ａが露わにならないため、証紙部品４００の不正取り外しを低減できる。
【０１１２】
また、取付部４３０は、後面部４２１のうちの一部に形成されたネジ挿入孔４３１及びネジ４３２によって証紙プレート本体４２０を遊技盤３０に固定するものであり、証紙プレート蓋４１０は、証紙プレート本体４２０への取付状態においてネジ４３２の周囲の一部箇所に向かうように延出した延出覆い柱部４１１を備えている。したがって、証紙プレート本体４２０の取付部４３０のネジ４３２への隙間を埋めることができ、ネジ４３２への不正なアクセスを低減でき、ネジ４３２を不正に解除するなどの不正行為を低減できる。
【０１１３】
また、証紙プレート蓋４１０は、証明情報を表示する証紙シールＳ１を有する前面板部４１２と、この前面板部４１２から突出されて証紙プレート本体４２０の係止容器部４４０に挿入される突出周壁部４１３とを備えているので、証紙プレート蓋４１０を突出周壁部４１３で補強することができ、不正行為者が証紙プレート蓋４１０に力を加えて変形させることを低減でき、かかる変形で不正に証紙プレート蓋４１０の係止解除することも低減できる。
【０１１４】
また、内部係止部４８０は、係止爪４８１と、この係止爪４８１が嵌る被係止部４８２とを備え、係止爪４８１は、証紙プレート本体４２０の係止容器部４４０の突出周壁部４１３と対向する側に形成され、被係止部４８２は、証紙プレート蓋４１０が証紙プレート本体４２０に取り付けられた状態において、証紙プレート蓋４１０の突出周壁部４１３での係止爪４８１に対応する箇所に形成されている。したがって、証紙プレート蓋４１０と証紙プレート本体４２０とをそれらで形成される内部空間側で係止する構成を好適に実現できる。さらに、証紙プレート蓋４１０を突出周壁部４１３で補強することができ、不正行為者が証紙プレート蓋４１０に力を加えて突出周壁部４１３の被係止部４８２を変形させることを低減でき、かかる変形で不正に係止爪４８１と被係止部４８２との係止を解除することも低減できる。
【０１１５】
また、証紙プレート本体４２０は、その開口側に、証紙プレート蓋４１０の前面板部４１２が収まる窪み部４２６を備えている。したがって、証紙プレート蓋４１０の前面板部４１２の裏面側が証紙プレート本体４２０の窪み部４２６に入り込んでいるので、証紙プレート蓋４１０の前面板部４１２の裏面側と証紙プレート本体４２０との間に不正具を入れて無理な力を加えて不正に証紙プレート蓋４１０を取り外すことを低減できる。つまり、証紙プレート蓋４１０の前面板部４１２が証紙プレート本体４２０の外側に位置している場合、すなわち、証紙プレート蓋４１０の前面板部４１２の裏面側と証紙プレート本体４２０との境界面位置が当該証紙プレート本体４２０の外側にある場合には、その境界面に不正具を挿入して非挿入端を奥方向に力をかけ、テコの原理でその不正具の挿入点側に大きな力を生じさせて、証紙プレート蓋４１０を取り外すことが懸念される。これに対して、証紙プレート蓋４１０の前面板部４１２の裏面側が証紙プレート本体４２０の窪み部４２６に入り込んでいるので、証紙プレート蓋４１０の前面板部４１２の裏面側と証紙プレート本体４２０との境界面位置に不正具を挿入し難いし、仮にその位置に挿入して不正具の非挿入端に力を加えたとしても証紙プレート蓋４１０を取り外す方向の力が生じないため、テコの原理を利用した不正取り外しを低減できる。
【０１１６】
この発明は、上記実施形態に限られることはなく、同様の効果を奏する別の構成としてもよく、例えば下記のように変形実施することができる。
【０１１７】
＜１＞上述した実施例では、係止爪４８１を証紙プレート本体４２０に形成し、被係止部４８２を証紙プレート蓋４１０に形成し、係止爪４８１を被係止部４８２に係止させているが、係止爪４８１を証紙プレート蓋４１０に形成し、被係止部４８２を証紙プレート本体４２０に形成し、係止爪４８１を被係止部４８２に係止させてもよい。
【０１１８】
＜２＞上述した実施例では、証紙プレート蓋４１０を、例えば樹脂成型品としているが、金属製としてもよい。
【０１１９】
＜３＞上述した実施例では、証紙プレート蓋４１０に証紙シールＳ１を貼り付けているが、証紙プレート蓋４１０自体に証明情報を凹凸形成したり刻印形成したりしてもよい。また、証紙シールＳ１に替えて証紙プレートを採用し、この証紙プレートに表記（印字、印刷、刻印、凸形成、凹形成、凹凸形成など）で証明情報を表し、証紙プレート蓋４１０に接着固定するようにしてもよい。また、電子ペーパーや液晶表示部などに証明情報を表示する表示装置や、電子情報を送受信可能な電子部品等（例えば、電子チップ）からの電子情報に基づいて証明情報を表示するものを採用してもよいし、電子情報を送受信可能な電子チップを証紙シールＳ１に内蔵するようにしてもよい。
【０１２０】
＜４＞上述した実施例では、証紙プレート本体４２０に４個の被切断部４５０を形成しているが、それ以外の個数としてもよい。
【０１２１】
＜５＞上述した実施例では、延出覆い柱部４１１を取付部４３０の正面視でネジ４３２を挟む対向２箇所に位置するように証紙プレート蓋４１０に設けているが、対向４箇所に位置するように設けたり、ネジ４３２の周囲全体を覆うように設けたりしてもよい。
【０１２２】
＜６＞上述した実施例では、遊技部品としての遊技盤３０に、証明情報表示部品としての証紙部品４００を取り付けることを例に挙げて説明しているが、遊技機（パチンコ機、スロットマシンなど）に用いられる各種の部品・装置・部材に採用してもよい。例えば、遊技部品として、前面枠セット１４、入賞装置（一般入賞口３１、可変入賞装置３２、第１の始動口３３ａ、第２の始動口３３ｂ）、センターフレーム４７などが挙げられる。
【０１２３】
＜７＞上述した実施例では、証紙プレート本体４２０の後面部４２１は、図６〜図９に示すように、内部係止部４８０を解除するためのスリット孔４２１ａを備えている。このスリット孔４２１ａは人の指が入らない小さな開口である。しかし、このスリット孔４２１ａを人の指が入る大きさの開口とし、証紙プレート蓋４１０の返し爪部４８２ａの裏側に設けた図示省略のレバー部を引っ張ることで、証紙プレート本体４２０の係止爪４８１との係止が解除できる構成としてもよい。この場合は、細状具が不要で人手で係止解除でき、証紙プレート蓋４１０を証紙プレート本体４２０から取り出すことができる。
【０１２４】
＜８＞本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特定遊技状態となるパチンコ機として実施してもよい。また、球が所定の入賞口に入ることで特定遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０１２５】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【０１２６】
なお、本明細書は、次のような遊技機に係る発明も開示している。
【０１２７】
（１）  遊技者に遊技を提供する遊技機において、
遊技製品に関する証明情報を表示した証明情報表示部品と、
前記証明情報表示部品が取り付けられる遊技部品と、
を備え、
前記証明情報表示部品は、
前記証明情報を表示する表記部品と、
前記表記部品が取り付けられて、且つ、前記遊技部品に取り付けられる本体部品と、
前記表記部品と前記本体部品とをそれらで形成される内部空間側で係止するものであって前記表記部品を前記本体部品から取り外し不可に係止する内部係止手段と
を備え、
前記本体部品は、
前記遊技部品に取り外し不可に固定される固定部と、
前記固定部以外の部分であって前記内部係止手段を含む係止体部と、
前記固定部と前記係止体部とを繋ぐ部分であって破壊されることによって当該固定部と係止体部とを分離可能とする被破壊部と、
前記被破壊部を除いて前記固定部と前記係止体部との境界部分に形成された切り欠き部とを備えている
ことを特徴とする遊技機。
【０１２８】
前記（１）に記載の遊技機によれば、遊技者に遊技を提供する遊技機は、遊技製品に関する証明情報を表示した証明情報表示部品と、この証明情報表示部品が取り付けられる遊技部品とを備えている。証明情報表示部品は、証明情報を表示する表記部品と、この表記部品が取り付けられて、且つ、遊技部品に取り付けられる本体部品とを備えている。内部係止手段は、表記部品と本体部品とで形成される内部空間側で当該表記部品と本体部品とを係止するものであって、表記部品を本体部品から取り外し不可に係止する。本体部品は、固定部と係止体部とに大別される。本体部品の固定部は、遊技部品に取り外し不可に固定されるものである。本体部品の係止体部は、固定部以外の部分であって、内部係止手段を含むものである。固定部と係止体部とを繋ぐ部分である被破壊部は、破壊されることによって固定部と係止体部とを分離可能とする。切り欠き部は、被破壊部を除いて固定部と係止体部との境界部分に形成されている。
【０１２９】
したがって、証明情報表示部品の本体部品がその固定部で遊技部品に固定されて、この本体部品に表記部品が内部係止手段によって係止されると、固定部に対して外部から固定解除アクセスができないので、固定部ごと本体部品を遊技部品から取り外すことができないし、証明情報表示部品の本体部品の被破壊部を破壊しない限り、本体部品の固定部と係止体部とが分離できず、この分離された係止体部に対して内部係止手段による係止を解除しなければ、表記部品を係止体部から取り外せないことから、証明情報表示部品と遊技部品との一体不可分性を確保でき、証明情報表示部品が不正に交換されることを低減できる。
【０１３０】
また、検定合格後で製造メーカー出荷前試験において遊技部品（証明情報表示部品の取り付け済み）に故障や不良があった場合や、ホール設置作業で遊技部品を落下破損させた場合等には、証明情報表示部品の本体部品の被破壊部を破壊することで、本体部品の固定部と係止体部とが分離され、固定部が遊技部品に固定されたまま残り、本体部品の係止体部を遊技部品から取り外すことができ、この分離された係止体部に対して内部係止手段による係止を解除して、表記部品を係止体部から取り外し、この取り外した表記部品を、例えば検定を受けた新たな遊技部品に取り付けた製造メーカー側が所有する新品の本体部品に対して取り付け係止させて当該新たな遊技部品を出荷することができ、遊技機のホール設置の際に、複数の遊技機の証明情報表示部品を一連の番号順とすることができる。
【０１３１】
また、ホール設置後に、ある遊技機の証明情報表示部品の被破壊部が不正に破壊されて、証明情報表示部品が遊技部品から不正に取り外されて他の遊技機に使用しようとしても、固定部が切り取られているため他の遊技機の遊技部品に取り付けることができないし、仮に他の遊技機に不正接着などしても、当該他の遊技機での被破壊部の破壊痕跡を見ることで、正当作業者（例えば、製造メーカー作業者）でない者によって破壊されたことの推測ができる。
【０１３２】
例えば、検定を受けていない遊技部品に、正規の証明情報表示部品が取り付けられてホールで不正営業されていたり、証明情報表示部品を勝手に付け替えられたりしている場合には、被破壊部が破壊された本体部品を再使用していたり、本体部品の固定部が切除されたて当該固定部が存在しないため、ホール関係者や製造メーカー作業者は、被破壊部の破壊痕跡や固定部の不存在を目ることで、何らかの不正行為があったと推測でき、不正行為を低減できる。その結果、証明情報表示部品（例えば、証紙）の交換が可能で、かつ、不正に証明情報表示部品を交換した場合にはその発見が可能な遊技機を提供することができる。
【０１３３】
なお、本明細書中で言う「証明情報」としては、所定の検定機関や検定団体が発行する検定番号や承認番号、製造メーカーが付す製造番号などが挙げられる。また、本明細書中で言う「遊技部品」は、遊技機に用いられる各種の部品を意味する。この「遊技部品」として例示すれば、遊技盤、内枠、前面枠、入賞装置、センターフレームなどが挙げられる。また、本明細書中で言う「取り外し不可に固定される固定部」とは、本体部品の少なくとも一部（例えば、被破壊部）を破壊しなければ、本体部品を取り外しできないことを意味する。
【０１３４】
また、本明細書中で言う「切り欠き部」とは、本体部品における固定部と係止体部との境界部分を実際に切り取って形成したものであってもよいが、本体部品の形成と同時に当該本体部品の境界部分にへこみ部ができるという意味である。例えば、金型は予め切り欠き部を形成するための形状を有しており、この金型に樹脂を充填して、金型を取り外すと本体部品の完成と同時に切り欠き部（へこみ部）も形成されていることを意味する。
【０１３５】
（２）  前記（１）に記載の遊技機において、
前記遊技部品での前記証明情報表示部品が取り付けられる面側に位置する取付面側部材を備え、
前記取付面側部材は、前記表記部品が視認可能に前記証明情報表示部品の前記本体部品が挿入される開口部と、前記切り欠き部を覆う覆い部とを備えている
ことを特徴とする遊技機。
【０１３６】
前記（２）に記載の遊技機によれば、取付面側部材は、遊技部品での証明情報表示部品が取り付けられる面側に位置する。取付面側部材の開口部は、表記部品が視認可能に、証明情報表示部品の本体部品が挿入される。取付面側部材の覆い部は、切り欠き部を覆うので、本体部品の切り欠き部に不正具を進入させるなどの不正行為を低減できる。また、遊技部品と取付面側部材とを離さないと、本体部品の被破壊部が露わにならないため、証明情報表示部品の不正取り外しを低減できる。
【０１３７】
（３）  前記（１）に記載の遊技機において、
前記本体部品は、前記切り欠き部と前記係止体部とを仕切る仕切部を備えている
ことを特徴とする遊技機。
【０１３８】
前記（３）に記載の遊技機によれば、本体部品は、切り欠き部と係止体部とを仕切る仕切部を備えているので、例えば、不正行為者が切り欠き部から係止体部に不正具を挿入させて内部係止手段による係止を不正に解除しようとしても、その不正具の進入が仕切部で阻止でき、不正具を係止体部の内部に到達させることができず、内部係止手段による係止の不正解除を防止できる。また、本体部品は仕切部を備えているので、本体部品を仕切部で補強することができ、不正行為者が本体部品に力を加えて変形させることを低減でき、かかる変形で不正に表記部品の係止解除することも低減できる。
【０１３９】
（４）  前記（３）に記載の遊技機において、
前記本体部品は、前記遊技部品と取り付けられる側に取付面部を備え、この取付面部とは反対側が開口された箱状形状であり、
前記表記部品は、前記本体部品の開口側に当該開口を塞ぐようにして取り付けられ、
前記固定部は、前記取付面部のうちの一部に設けられ、
前記係止体部は、前記取付面部での前記固定部以外の部分に設けられ、
前記取付面部は、前記内部係止手段を解除するための解除用細隙孔を備えている
ことを特徴とする遊技機。
【０１４０】
前記（４）に記載の遊技機によれば、本体部品は、遊技部品と取り付けられる側に取付面部を備え、この取付面部とは反対側が開口された箱状形状である。表記部品は、本体部品の開口側に当該開口を塞ぐようにして取り付けられる。固定部は、取付面部のうちの一部に設けられている。係止体部は、取付面部での固定部以外の部分に設けられている。取付面部は、内部係止手段を解除するための解除用細隙孔を備えている。したがって、本体部品は取付面部を備えているので、証明情報表示部品の遊技部品への取付状態において、その本体部品の遊技部品と対向する側から不正具を進入させようとしても、本体部品の取付面部によってその進入が排除でき、本体部品に不正具を進入させるなどの不正行為を低減できる。また、遊技部品と取付面側部材とを離さないと、本体部品の取付面部の解除用細隙孔が露わにならないため、証明情報表示部品の不正取り外しを低減できる。
【０１４１】
（５）  前記（４）に記載の遊技機において、
前記固定部は、前記取付面部のうちの一部に形成された締結部によって前記本体部品を前記遊技部品に固定するものであり、
前記表記部品は、前記本体部品への取付状態において前記締結部の周囲の少なくとも一部箇所に向かうように延出した延出覆い部を備えている
ことを特徴とする遊技機。
【０１４２】
前記（５）に記載の遊技機によれば、固定部は、取付面部のうちの一部に形成された締結部によって本体部品を遊技部品に固定する。表記部品は、本体部品への取付状態において締結部の周囲の少なくとも一部箇所に向かうように延出した延出覆い部を備えている。したがって、本体部品の固定部の締結部への隙間を埋めることができ、締結部への不正なアクセスを低減でき、締結部を不正に解除するなどの不正行為を低減できる。
【０１４３】
（６）  前記（４）または（５）に記載の遊技機において、
前記表記部品は、前記証明情報を表示する表記部を有する板状部と、前記板状部から突出されて前記本体部品の前記係止体部に挿入される突出周壁部とを備えている
ことを特徴とする遊技機。
【０１４４】
前記（６）に記載の遊技機によれば、表記部品は、証明情報を表示する表記部を有する板状部と、この板状部から突出されて本体部品の係止体部に挿入される突出周壁部とを備えているので、表記部品を突出周壁部で補強することができ、不正行為者が表記部品に力を加えて変形させることを低減でき、かかる変形で不正に表記部品の係止解除することも低減できる。
【０１４５】
（７）  前記（６）に記載の遊技機において、
前記内部係止手段は、係止突起部と、前記係止突起部が嵌る被係止部とを備え、
前記係止突起部は、前記本体部品の前記係止体部の前記突出周壁部と対向する側に形成され、
前記被係止部は、前記表記部品が前記本体部品に取り付けられた状態において、前記表記部品の前記突出周壁部での前記係止突起部に対応する箇所に形成されている
ことを特徴とする遊技機。
【０１４６】
前記（７）に記載の遊技機によれば、内部係止手段は、係止突起部と、この係止突起部が嵌る被係止部とを備えている。係止突起部は、本体部品の係止体部の突出周壁部と対向する側、つまり本体部品の内側に形成されている。被係止部は、表記部品が本体部品に取り付けられた状態において、表記部品の突出周壁部での係止突起部に対応する箇所に形成されている。したがって、表記部品と本体部品とをそれらで形成される内部空間側で係止する構成を好適に実現できる。さらに、表記部品を突出周壁部で補強することができ、不正行為者が表記部品に力を加えて突出周壁部の被係止部を変形させることを低減でき、かかる変形で不正に係止突起部と被係止部との係止を解除することも低減できる。
【０１４７】
（８）  前記（６）または（７）に記載の遊技機において、
前記本体部品は、その開口側に、前記表記部品の前記板状部が収まる窪み部を備えている
ことを特徴とする遊技機。
【０１４８】
前記（８）に記載の遊技機によれば、本体部品は、その開口側に、表記部品の板状部が収まる窪み部を備えている。したがって、表記部品の板状部の裏面側が本体部品の窪み部に入り込んでいるので、表記部品の板状部の裏面側と本体部品との間に不正具を入れて無理な力を加えて不正に表記部品を取り外すことを低減できる。つまり、表記部品の板状部が本体部品の外側に位置している場合、すなわち、表記部品の板状部の裏面側と本体部品との境界面位置が当該本体部品の外側にある場合には、その境界面に不正具を挿入して非挿入端を奥方向に力をかけ、テコの原理でその不正具の挿入点側に大きな力を生じさせて、表記部品を取り外すことが懸念される。これに対して、表記部品の板状部の裏面側が本体部品の窪み部に入り込んでいるので、表記部品の板状部の裏面側と本体部品との境界面位置に不正具を挿入し難いし、仮にその位置に挿入して不正具の非挿入端に力を加えたとしても表記部品を取り外す方向の力が生じないため、テコの原理を利用した不正取り外しを低減できる。
【０１４９】
（９）  前記（１）から（８）のいずれか一つに記載の遊技機において、
前記遊技機はパチンコ機であることを特徴とする遊技機。
【０１５０】
前記（９）に記載の遊技機によれば、証明情報表示部品（例えば、証紙）の交換が可能で、かつ、不正に証明情報表示部品を交換した場合にはその発見が可能なパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特定遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【０１５１】
（１０）  前記（１）から（８）のいずれか一つに記載の遊技機において、
前記遊技機はスロットマシンであることを特徴とする遊技機。
【０１５２】
前記（１０）に記載の遊技機によれば、証明情報表示部品（例えば、証紙）の交換が可能で、かつ、不正に証明情報表示部品を交換した場合にはその発見が可能なスロットマシンを提供できる。なお、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技用媒体はコイン、メダル等が代表例として挙げられる。
【０１５３】
（１１）  前記（１）から（８）のいずれか一つに記載の遊技機において、
前記遊技機はパチンコ機とスロットマシンとを融合させたものであることを特徴とする遊技機。
【０１５４】
前記（１１）に記載の遊技機によれば、証明情報表示部品（例えば、証紙）の交換が可能で、かつ、不正に証明情報表示部品を交換した場合にはその発見が可能な、パチンコ機とスロットマシンとを融合させたものを提供できる。なお、この融合させたものの基本構成としては、「複数の識別情報からなる識別情報列を動的表示した後に識別情報を確定表示する識別情報変動表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技用媒体として球を使用するとともに、前記識別情報の動的表示の開始に際しては所定数の球を必要とし、特別遊技状態の発生に際しては多くの球が払い出されるように構成されている遊技機」となる。
【０１５５】
なお、本明細書に開示する種々の発明に関して、全ての構成要素について種々の組み合わせが可能であり、他の構成要件がなくても単独で発明として成立する点に留意されたい。
【産業上の利用可能性】
【０１５６】
以上のように、この発明は、パチンコ機、スロットマシン等の遊技機に適している。
【符号の説明】
【０１５７】
１２  …内枠（取付面側部材）
１２ｂ…証紙用開口（開口部）
１２ｃ…被覆部（覆い部）
３０  …遊技盤（遊技部品）
３０ｂ…被取付箇所
４００  …証紙部品（証明情報表示部品）
４１０  …証紙プレート蓋（表記部品）
４１１  …延出覆い壁部（延出覆い部）
４１２  …前面板部（板状部）
４１３  …突出周壁部
４２０  …証紙プレート本体（本体部品）
４２１  …後面部（取付面部）
４２１ａ…スリット孔（解除用細隙孔）
４２６  …窪み部
４３０  …取付部（固定部）
４３１  …ネジ挿入孔（締結部）
４３２  …ネジ（締結部）
４４０  …係止容器部（係止体部）
４５０  …被切断部（被破壊部）
４６０  …切り欠き部
４７０  …仕切壁部（仕切部）
４８０  …内部係止部（内部係止手段）
４８１  …係止爪（係止突起部）
４８２  …被係止部
Ｓ１  …証紙シール（表記部）
【図１】
2010268954.tif 000003
【図２】
2010268954.tif 000004
【図３】
2010268954.tif 000005
【図４】
2010268954.tif 000006
【図５】
2010268954.tif 000007
【図６】
2010268954.tif 000008
【図７】
2010268954.tif 000009
【図８】
2010268954.tif 000010
【図９】
2010268954.tif 000011
【図１０】
2010268954.tif 000012
【図１１】
2010268954.tif 000013
【図１２】
2010268954.tif 000014
【図１３】
2010268954.tif 000015
【図１４】
2010268954.tif 000016